(57)【特許請求の範囲】
【請求項１】
軸心が同一で、かつ、電線等を通すための２つ以上のリング体と、これらのリング体と一体に形成され、かつ、これらのリング体の周面外方で各リング体を連結する連結部と、リング体の軸心に対して連結部と対称位置に設けられ、かつ、リング体と一体に形成されているアーム部とを備え、左右の両端に位置するリング体にそれぞれ設けられている両アーム部は、これらのアーム部先端間の距離がこれらのリング体間の距離よりも短い距離となるような位置まで、その各々のアーム部先端を延ばしていると共に、各アーム部の先端近辺には、磁石が固定されていることを特徴とする電線等の鳥害防止具。
【請求項２】
リング体のアーム部側には、リング体を半割りにする割れ目が設けられていると共に、リング体の一方の側部には、割れ目を開閉させるヒンジが設けられていることを特徴とする請求項１記載の電線等の鳥害防止具。
【請求項３】
リング体の内周面には、環状の内向きリブが形成されていることを特徴とする請求項１又は２記載の電線等の鳥害防止具。
【請求項４】
リング体に通された電線等と、連結部のリング体側との間隔が狭くなるように形成されていることを特徴とする請求項１、２又は３記載の電線等の鳥害防止具。
【請求項５】
連結部の反リング体側には、外方に向かって突出する多数の針状体が設けられていることを特徴とする請求項１、２、３又は４記載の電線等の鳥害防止具。
【請求項６】
連結部の反リング体側には、外方に向かって突出する平板状の板状体が設けられていることを特徴とする請求項１、２、３又は４記載の電線等の鳥害防止具。
【請求項７】
磁石以外の部分がプラスチックで形成されていることを特徴とする請求項１、２、３、４、５又は６記載の電線等の鳥害防止具。
【発明の詳細な説明】
【０００１】
【発明の属する技術分野】
本発明は、電線等の鳥害防止具、更に詳しくは、鳥が電線等に止まることを阻止するのみならず、鳥を電線等に近づけないようにした鳥害防止具に関するものである。
【０００２】
【従来の技術】
従来から、鳥が電線等に止まることによって種々の害を及ぼすことが知られている。
【０００３】
そのような害の一つとして、電線等に止まった鳥が電線等の上に糞を付着させることがあった。また、電線等に止まった鳥が対向する電線等に止まった鳥と接触することにより、短絡事故を起こすこともあった。
【０００４】
そこで、鳥が電線等に止まることを阻止する技術として、例えば、特公平７−７１３７２号公報に記載されている鳥害防止具が提供されている。
【０００５】
以下、この鳥害防止具を、図４に基づいて簡単に説明する。
【０００６】
この鳥害防止具100は、細長板の中央部に電線等を遊嵌させる円孔110を半割り状に設け、また、この半割りの端縁の外側に係止片120を対向させて設け、更に、この係止片120を係止具130で開閉自在に形成した支持体140を複数個備えている。そして、これらの支持体140の長手方向両端をバー150で連結固定して、電線170等に固定可能に形成されている。また、各支持体140の長手方向下端には、磁性体よりなる錘160が備えられ、この錘160によって鳥害防止具100を起立させると共に、複数の鳥害防止具100を長手方向に連結させるように形成されている。そして、鳥が休止しようとしてバー150に止まると、その鳥の重さで鳥害防止具100全体が揺れるので、鳥が驚いて飛び立つ。
【０００７】
このようにして、この鳥害防止具100は、鳥が電線170等に止まることに起因する糞害や短絡事故を防止しているものである。
【０００８】
【発明が解決しようとする課題】
しかし、前記公報に記載されている鳥害防止具はいくつかの欠点を有していた。
【０００９】
その１つは、この鳥害防止具が、鳥が電線等に止まるのを阻止するのではなく、むしろ鳥の止まり場所になってしまうことがあるという点である。
【００１０】
即ち、この鳥害防止具は、各支持体の長手方向下端に磁性体よりなる錘を備えており、複数の鳥害防止具を磁力で連結させるように形成されている。このため、連結された２つの鳥害防止具に鳥がまたがるようにして止まった場合には、２つの鳥害防止具を一体として揺らすことにより、鳥を驚かせる必要がある。ところが、これら２つの鳥害防止具は、磁力によりはじめから一体となっており、更に、隣接する他の鳥害防止具とも磁力で一体となっているため、支持体に止まった鳥が軽い鳥であるようなときには揺れない。そして、この鳥害防止具が、鳥が電線等に止まるのを阻止するのではなく、むしろ鳥の止まり場所になってしまうのである。
【００１１】
また、この鳥害防止具を取り付けているにも関わらず、鳥が電線等に止まるのを阻止できないときがあるという欠点も挙げられている。
【００１２】
即ち、この鳥害防止具は、隣接する支持体を連結固定するバーを備え、このバーに鳥が止まるとその重みで鳥害防止具全体が揺れることにより、鳥を驚かせて飛び立たせるように形成されていた。ところが、バーに鳥が止まることにより、バーを電線等の横方向に位置させるようにして、鳥害防止具が水平状態になることがあった。そして、このように鳥害防止具が水平状態になるときには、鳥害防止具を設置しているにも関わらず、鳥が電線等に直接止まるのを阻止することができなかったのである。
【００１３】
更には、この鳥害防止具が磁性体を備えているにも関わらず、異常磁場を発生させることができずに、鳥が近づくことを防止できないという欠点も挙げられている。
【００１４】
即ち、この鳥害防止具は、バーや支持体に鳥が止まるとその重みで鳥害防止具全体が揺れ、その揺れにより異常磁場を発生させて鳥が近づかないように形成されていた。ところが、バーや支持体に鳥が止まらない限りにおいては、異常磁場を発生させることがなく、従って、鳥が近づくことを阻止することができなかったのである。
【００１５】
そこで、本発明のうち請求項１に記載した発明は、多数の鳥害防止具が電線等の長手方向に連続して取り付けられることに鑑み、鳥害防止具が備える磁石を、隣接する他の鳥害防止具が備える磁石と接触させないようにして、鳥害防止具の磁石同士を連結させないようにすることにより、鳥が止まれば容易に揺れ、風によっても容易に揺れるようにし、異常磁場を発生させて鳥が近づかないようにした鳥害防止具の提供を目的とする。
【００１６】
また、本発明のうち請求項２に記載した発明は、請求項１に記載した発明の目的に加えて、鳥害防止具の取り付け作業が高所で行われることに鑑み、リング体を電線等に引っ掛けて係止できるようにし、取り付け作業を容易にした鳥害防止具の提供を目的とする。
【００１７】
また、本発明のうち請求項３に記載した発明は、請求項１又は２に記載した発明の目的に加えて、鳥害防止具がリング体の内部に電線等を通すようにして取り付けられることに鑑み、リング体の内周面に環状の内向きリブを形成して、電線等とリング体との摩擦抵抗を小さくすることにより、鳥が止まれば、あるいは風が吹けば更に容易に揺れるようにした鳥害防止具の提供を目的とする。
【００１８】
また、本発明のうち請求項４に記載した発明は、請求項１、２又は３に記載した発明の目的に加えて、鳥害防止具を取り付けても電線等に鳥が直接止まる可能性があることに鑑み、電線等と連結部との間隔を狭くして、電線等と連結部との間に鳥が脚を入れられないようにすることにより、鳥が電線等に直接止まるのを確実に阻止することができるようにした鳥害防止具の提供を目的とする。
【００１９】
また、本発明のうち請求項５に記載した発明は、請求項１、２、３又は４に記載した発明の目的に加えて、鳥が鳥害防止具の連結部に止まる可能性があることに鑑み、連結部の反リング体側に多数の針状体を設けることにより、鳥が連結部に止まるのを確実に阻止することができるようにした鳥害防止具の提供を目的とする。
【００２０】
また、本発明のうち請求項６に記載した発明は、請求項１、２、３又は４に記載した発明の目的に加えて、電線等に鳥害防止具を取り付けても鳥が近づいてくる可能性があることに鑑み、連結部の反リング体側に平板状の板状体を設けることにより、風が吹けば鳥害防止具全体が更に容易に揺れるようにして、異常磁場を発生させ易くし、鳥が近づくのを確実に阻止することができるようにした鳥害防止具の提供を目的とする。
【００２１】
更に、本発明のうち請求項７に記載した発明は、請求項１、２、３、４、５又は６に記載した発明の目的に加えて、軽い鳥が止まったとき、あるいは風が弱いときには鳥害防止具が揺れない可能性があることに鑑み、磁石以外の部分をプラスチックで形成して、鳥害防止具全体の重量を軽くすることにより、軽い鳥が止まっても、あるいは弱い風が吹いても容易に揺れるようにした鳥害防止具の提供を目的とする。
【００２２】
【課題を解決するための手段】
本発明のうち請求項１に記載した発明は、軸心が同一で、かつ、電線（90）等を通すための２つ以上のリング体（20）と、これらのリング体（20）と一体に形成され、かつ、これらのリング体（20）の周面外方で各リング体（20）を連結する連結部（30）と、リング体（20）の軸心に対して連結部（30）と対称位置に設けられ、かつ、リング体（20）と一体に形成されているアーム部（40）とを備え、左右の両端に位置するリング体（20）にそれぞれ設けられている両アーム部（40）は、これらのアーム部（40）先端間の距離がこれらのリング体（20）間の距離よりも短い距離となるような位置まで、その各々のアーム部（40）先端を延ばしていると共に、各アーム部（40）の先端近辺には、磁石（50）が固定されていることを特徴とする。
【００２３】
ここで、「リング体（20）」とは、内部に電線（90）等を通すことが可能に形成されている部分である。例えば、プラスチック製の円筒を用いて、リング体（20）を形成することができる。このリング体（20）は、軸心を同一にして設けられていれば、２つでも、３つでも、また、それ以上であっても良い。
【００２４】
また、「連結部（30）」とは、リング体（20）の周面外方で、各リング体（20）を連結する部分である。この連結部（30）は、リング体（20）と一体に形成することができる。
【００２５】
また、「アーム部（40）」とは、リング体（20）の軸心から見て連結部（30）と対称位置に設けられ、更に、その先端近辺に磁石（50）を固定するための部分である。このアーム部（40）も、リング体（20）と一体に形成することができる。
【００２６】
このように、鳥害防止具（10）の両端に位置するリング体（20）に設けられているアーム部（40）の先端を、これらのリング体（20）の距離よりも短い距離となる位置にまで延ばし、更に、これらのアーム部（40）の先端近辺に磁石（50）を固定したことによって、隣接する鳥害防止具（10）の磁石（50）同士が連結しないようにしている。従って、鳥が止まれば、あるいは風が吹けば、鳥害防止具（10）全体が容易に揺れるのである。そして、異常磁場が発生するので、鳥が近づくのを阻止することができるのである。
【００２７】
また、本発明のうち請求項２に記載した発明は、請求項１に記載した発明の構成に加えて、リング体（20）のアーム部（40）側には、リング体（20）を半割りにする割れ目が設けられていると共に、リング体（20）の一方の側部には、割れ目を開閉させるヒンジ（70）が設けられていることを特徴とする。
【００２８】
このように、リング体（20）のアーム部（40）側に割れ目を設け、更に、この割れ目を開閉させるためのヒンジ（70）を、リング体（20）の一方の側部に設けたことによって、リング体（20）を電線（90）等に引っ掛けるようにして、鳥害防止具（10）全体を電線（90）等に係止できるようにしている。従って、高所での取り付け作業を容易にすることができるのである。
【００２９】
また、本発明のうち請求項３に記載した発明は、請求項１又は２に記載した発明の構成に加えて、リング体（20）の内周面には、環状の内向きリブ（60）が形成されていることを特徴とする。
【００３０】
ここで、「リブ（60）」とは、リング体（20）の内周面の一部を内方に向かって筋状に突出させた部分であって、リング体（20）の内周面に環状に形成される。このリブ（60）は、リング体（20）と一体に形成することができる。
【００３１】
このように、リング体（20）の内周面に内向きリブ（60）を設けたことによって、電線（90）等とリング体（20）との摩擦抵抗を小さくしている。従って、鳥が止まれば、あるいは風が吹けば、鳥害防止具（10）全体が更に容易に揺れるのである。そして、異常磁場が発生するので、鳥が近づくのを阻止することができるのである。
【００３２】
また、本発明のうち請求項４に記載した発明は、請求項１、２又は３に記載した発明の構成に加えて、リング体（20）に通された電線（90）等と、連結部（30）のリング体（20）側との間隔が狭くなるように形成されていることを特徴とする。
【００３３】
ここで、「狭く」とは、鳥が脚を入れることができないような間隔であって、具体的には、２５ｍｍ以下の間隔をいう。例えば、鳥が電線（90）等と連結部（30）との間のような間隙に脚を入れるようにして電線（90）等に直接止まるためには、電線（90）等と連結部（30）との間に２５ｍｍ以上の間隔が必要であると言われているためである。
【００３４】
このように、電線（90）等と連結部（30）との間隔を狭くしたことによって、電線（90）等と連結部（30）との間に鳥が脚を入れられないようにしている。従って、鳥が電線（90）等に直接止まるのを確実に阻止することができるのである。
【００３５】
また、本発明のうち請求項５に記載した発明は、請求項１、２、３又は４に記載した発明の構成に加えて、連結部（30）の反リング体（20）側には、外方に向かって突出する多数の針状体（80）が設けられていることを特徴とする。
【００３６】
ここで、「針状体（80）」とは、先鋭な棒状のものであって、例えば、プラスチックで形成しても良く、また、ゴム等の柔軟性を有する材料で形成しても良い。また、この針状体（80）は、連結部（30）と一体に形成することができる。
【００３７】
このように、連結部（30）の反リング体（20）側に多数の針状体（80）を設けたことによって、連結部（30）に鳥が止まれないようにしているのである。
【００３８】
また、本発明のうち請求項６に記載した発明は、請求項１、２、３又は４に記載した発明の構成に加えて、連結部（30）の反リング体（20）側には、外方に向かって突出する平板状の板状体が設けられていることを特徴とする。
【００３９】
ここで、「板状体」とは、平板状に形成されている板である。例えば、平板状四角形に形成したプラスチック製の板を板状体とすることができる。また、この板状体は、連結部（30）と一体に形成することができる。
【００４０】
このように、連結部（30）の反リング体（20）側に板状体を設けたことによって、弱い風が吹いても、鳥害防止具（10）全体が容易に揺れるようにしている。従って、異常磁場が発生し易くなるので、鳥が近づくのを阻止することができるのである。
【００４１】
更に、本発明のうち請求項７に記載した発明は、請求項１、２、３、４、５又は６に記載した発明の構成に加えて、磁石（50）以外の部分がプラスチックで形成されていることを特徴とする。
【００４２】
このように、磁石（50）以外の部分をプラスチックで形成することによって、鳥害防止具（10）全体の重量を軽くしている。従って、軽い鳥が止まっても、あるいは弱い風が吹いても、鳥害防止具（10）全体が容易に揺れるのである。そして、異常磁場が発生するので、鳥が近づくのを阻止することができるのである。
【００４３】
【発明の実施の形態】
以下、本発明に係る鳥害防止具10の一実施の形態を、図示例と共に説明する。
【００４４】
図１は、本発明に係る鳥害防止具10の一実施の形態を示す正面図、図２は、側面図、図３は、要部斜視図である。
【００４５】
本発明に係る鳥害防止具10は、軸心が同一で、かつ、電線90等を通すための円孔を備えた２つのリング体20と、リング体20と一体に形成され、かつ、リング体20の周面外方で両リング体20を連結する連結部30と、リング体20の軸心から見て連結部30と対称位置に設けられ、かつ、リング体20と一体に形成されているアーム部40とを備えている。更に、アーム部40の先端は、両リング体20の距離よりも短い位置となる位置にまで延ばして設けられていると共に、各アーム部40の先端近辺には、磁石50が固定されているものである。
【００４６】
前記リング体20は、主リング21と、閉止リング22とによって形成されている。
【００４７】
ここで、主リング21は、電線90等に引っ掛けられる部分であって、リング体20の軸心方向から見て４分の３円状に形成されている。そして、この主リング21の一端には、アーム部40の延設部41が設けられ、また、他端には、ヒンジ70を介して閉止リング22が設けられている。
【００４８】
また、閉止リング22は、リング体20の軸心方向から見て４分の１円状に形成されている。そして、この閉止リング22の一端は、ヒンジ70を介して主リング21の一端に固定されている。また、この閉止リング22の他端には、平板状の閉止板71が設けられている。
【００４９】
そして、閉止板71を延設部41に合わせると、主リング21と閉止リング22とが一体になって、リング状のリング体20になるのである。
【００５０】
また、主リング21の延設部41が設けられている側の端部と、閉止リング22の閉止板71が設けられている側の端部との間が、リング体20を半割りにする割れ目とされている。
【００５１】
そして、ヒンジ70を支点に閉止リング22を回転させて、上述した割れ目を広げると、リング体20が欠けたような状態になる。そして、この割れ目が、主リング21を電線90等に引っ掛けるための間隙とされるのである。
【００５２】
また、閉止板71には球状の突起である球状突起72が設けられていると共に、アーム部40の延設部41には球状突起72が嵌合可能とされる穴である嵌合穴73が設けられている。そして、閉止板71の球状突起72を延設部41の嵌合穴73に嵌合させることによって、主リング21と閉止リング22とが一体となり、リング体20の割れ目を閉止できるのである。
【００５３】
更に、リング体20の内周面には、リブ60が設けられている。このリブ60は、リング体20の内周面の一部を内方に向かって筋状に突出させた部分であって、環状に形成されている。
【００５４】
なお、図示した実施の形態では、リング体20は、円筒形に形成されているが、例えば、リング体20の外周面を六角柱形にしても良い。また、リング体20は２つに限られず、軸心を同一にして設けられれば、３つでも、４つでも、また、それ以上であっても良い。
【００５５】
また、前記連結部30は、両リング体20各々の外周面から外方に向かって突出させた突出体31と、両突出体31の先端を連結する連結体32とによって形成されている。
【００５６】
また、連結部30の連結体32の反リング体20側には、外方に向かって突出する多数の針状体80が設けられている。この針状体80は、先鋭な棒状のものであって、連結体32と一体に形成されている。
【００５７】
なお、連結部30は、各リング体20を軸心同一にして連結できれば足りるものであって、突出体31と連結体32とによって形成される場合に限られない。
【００５８】
また、前記アーム部40は、両リング体20各々の外周面から反連結部30方向に延ばした延設部41と、延設部41の先端から他方の延設部41方向に折曲した折曲部42とによって形成されている。そして、各アーム部40の折曲部42の先端近辺には、円形の磁石50が設けられている。
【００５９】
なお、アーム部40は、その先端を、両リング体20の距離よりも短い距離となる位置に設けられれば足りるものであって、延設部41と折曲部42とによって形成される場合に限られず、例えば、円弧状に湾曲させても良い。
【００６０】
そして、このように形成した鳥害防止具10は、リング体20のアーム部40側に設けた割れ目を広げて円孔に電線90等を通し、更に、閉止板71の球状突起72を、延設部41の嵌合穴73に嵌合させて割れ目を閉止することにより、電線90等に回転自在に取り付けられる。
【００６１】
このとき、リング体20のアーム部40側に割れ目が設けられていると共に、リング体20の側部に割れ目を開閉させるヒンジ70が設けられていることによって、割れ目を閉止しなくても、リング体20の主リング21を電線90等に引っ掛けるようにして、鳥害防止具10を係止させることができる。そして、このように鳥害防止具10を電線90等に係止させておき、後に、閉止板71の球状突起72を延設部41の嵌合穴73に嵌合させて割れ目を閉止すれば、電線90等への取り付け作業が容易になる。従って、高所での作業をより安全に行うことができるのである。
【００６２】
そして、このようにして電線90等に取り付けられた鳥害防止具10は、各アーム部40の先端近辺に重い磁石50が固定されていることによって、磁石50を電線90等の鉛直下方に位置させ、また、連結部30を電線90等の鉛直上方に位置させた状態で静止する。そして、鳥が飛来して電線90等の上方に位置する連結部30に止まると、その鳥の重みで鳥害防止具10全体が電線90等を支点にして回転するように揺れる。このため、鳥は驚いて飛び立つのである。また、各アーム部40の先端近辺には磁石50が固定されているので、鳥害防止具10が揺れた際には異常磁場が発生する。そして、鳥は異常磁場を嫌うため、本件鳥害防止具10は、鳥が近づくことをも阻止する。また、本件鳥害防止具10は、風を受けることによっても電線90等を支点にして回転するように揺れ、異常磁場を発生させて、鳥が近づくのを阻止する。従って、鳥が電線90等に止まることに起因する糞害や短絡事故を防止することができるのである。
【００６３】
また、本件鳥害防止具10は、電線90等の長手方向に連続して取り付けられるものであるが、リング体20から突出するアーム部40の先端が、両リング体20の距離よりも短い距離となる位置に設けられていることにより、アーム部40の折曲部42の先端近辺に固定されている磁石50が、隣接する他の鳥害防止具10が備える磁石50と接触しない。従って、隣接する鳥害防止具10の磁石50同士が連結しないので、鳥が連結部30に止まれば鳥害防止具10全体が容易に揺れるのである。また、連結部30に鳥が止まらなくとも、風が吹けば鳥害防止具10全体が容易に揺れるのである。
【００６４】
また、前述したように、リング体20の内周面にリブ60を設けることによって、電線90等とリング体20との摩擦抵抗を小さくすることができる。従って、軽い鳥が連結部30に止まっても、あるいは弱い風が吹いても、鳥害防止具10全体が容易に揺れるのである。
【００６５】
なお、リング体20の内周面にリブ60を設けなくても、連結部30に鳥が止まれば、あるいは風が吹けば、鳥害防止具10全体は揺れるが、リブ60を設けることによって、軽い鳥が連結部30に止まっても、あるいは弱い風が吹いても、鳥害防止具10全体が容易に揺れるのである。
【００６６】
また、本件実施の形態においては、リング体20に通された電線90等と、連結部30のリング体20側との間隔を狭く形成している。
【００６７】
ここで、狭くとは、鳥が脚を入れることができないような間隔であって、具体的には、２５ｍｍ以下の間隔をいう。鳥が電線90等と連結部30との間のような間隙に脚を入れて電線90等に直接止まるためには、電線90等と連結部30との間に２５ｍｍ以上の間隔が必要であると言われているためである。
【００６８】
このように、電線90等と連結部30のリング体20側との間隔を狭く形成したことによって、たとえ本件鳥害防止具10が傾いて、電線90等の上方に連結部30が位置しなくなるような場合があっても、鳥が電線90等に直接止まることを確実に阻止することができるのである。
【００６９】
また、前述したように、連結部30の反リング体20側に多数の針状体80を設けて、鳥が連結部30に止まることをも阻止している。
【００７０】
なお、図示した実施の形態においては、針状体80を連結部30の反リング体20側に一列に並べて突出させているが、針状体80は、一列に並べて突出させる場合に限られず、例えば、放射状に多数林立させても良い。また、針状体80を、ゴム等の柔軟性を有する材料で形成し、連結部30の反リング体20側に固定しても良い。
【００７１】
また、図示しないが、上述した針状体80に代えて、連結部30の反リング体20側に、外方に向かって突出する平板状の板状体を設けることもある。
【００７２】
ここで、板状体は、平板状の板である。そして、この板状体は、連結部30と一体に形成することができるものである。
【００７３】
このように、連結部30の反リング側に、外方に向かって突出する平板状の板状体を設けると、風が吹けば板状体が風を受けるので、風が弱いときであっても、鳥害防止具10全体が容易に揺れるのである。そして、異常磁場を発生させて、鳥が近づくのを阻止することができるのである。
【００７４】
また、本件鳥害防止具10は、磁石50以外の部分をプラスチックで形成して、鳥害防止具10全体の重量を軽くしており、具体的には、鳥害防止具10全体の重量を３５ｇ以下にしている。これは、一般に、ムク鳥の重量が６５ｇ以上、ハトの重量が１７０ｇ以上、カラスの重量が４００ｇ以上であるため、鳥害防止具10全体の重量をこれらの鳥の重量より軽い３５ｇ以下に形成することにより、これらの鳥が止まった場合には、鳥害防止具10全体が確実に揺れるようにするためである。また、鳥害防止具10全体の重量を軽くしておけば、弱い風が吹いても、鳥害防止具10全体が確実に揺れるのである。
【００７５】
このように、鳥害防止具10の磁石50以外の部分をプラスチックで形成することによって、鳥害防止具10全体が更に容易に揺れる。そして、異常磁場を発生させて、鳥が近づくのを阻止することができるのである。
【００７６】
【発明の効果】
以上説明したように、請求項１に記載した発明によると、鳥害防止具が備える磁石が、隣接する他の鳥害防止具が備える磁石と接触しないので、鳥害防止具同士が連結しない。従って、鳥が止まれば、あるいは風が吹けば、鳥害防止具全体が容易に揺れるのである。
【００７７】
また、請求項２に記載した発明によると、リング体を電線等に引っ掛けるようにして、鳥害防止具全体を電線等に係止できるので、取り付け作業を容易にすることができるのである。
【００７８】
また、請求項３に記載した発明によると、リング体の内周面に環状の内向きリブを形成することによって、電線等とリング体との摩擦抵抗を小さくすることができるので、軽い鳥が止まっても、あるいは弱い風が吹いても、鳥害防止具全体が容易に揺れるのである。
【００７９】
また、請求項４に記載した発明によると、電線等と連結部との間隔を狭くすることによって、鳥が電線等と連結部との間隙に脚を入れられなくすることができるので、鳥が電線等に直接止まるのを確実に阻止することができるのである。
【００８０】
また、請求項５に記載した発明によると、連結部の反リング体側に多数の針状体を設けることによって、連結部に鳥が止まるのを確実に阻止することができるのである。
【００８１】
また、請求項６に記載した発明によると、連結部の反リング体側に平板状の板状体を設けることによって、板状体が風を受けるので、弱い風が吹いても、鳥害防止具全体が容易に揺れるのである。
【００８２】
更に、請求項７に記載した発明によると、磁石以外の部分をプラスチックで形成することにより、鳥害防止具全体の重量を軽くすることができるので、軽い鳥が止まっても、あるいは弱い風が吹いても、鳥害防止具全体が容易に揺れるのである。
【図面の簡単な説明】
【図１】本発明に係る鳥害防止具の正面図。
【図２】本発明に係る鳥害防止具の側面図。
【図３】本発明に係る鳥害防止具の要部斜視図。
【図４】従来の鳥害防止具の斜視図。
【符号の説明】
１０  鳥害防止具                    ２０  リング体
２１  主リング                      ２２  閉止リング
３０  連結部                        ３１  突出体
３２  連結体                        ４０  アーム部
４１  延設部                        ４２  折曲部
５０  磁石                          ６０  リブ
７０  ヒンジ                        ７１  閉止板
７２  球状突起                      ７３  嵌合穴
８０  針状体                        ９０  電線
１００  鳥害防止具                  １１０  円孔
１２０  係止片                      １３０  係止具
１４０  支持体                      １５０  バー
１６０  錘                          １７０  電線
【図１】
0003835944.tif 000002
【図２】
0003835944.tif 000003
【図３】
0003835944.tif 000004
【図４】
0003835944.tif 000005